(57)【要約】      （修正有）【課題】囲み側壁板部の外側面にスライド等の方式で装着しキャビネット内のブラスト作業によって発生する高圧な粉塵を確実に吸収貯溜し、粉塵に含有する微粒子を袋外に排出させることのないサンドブラスターのフィルターを提供する。【解決手段】有底状キャビネットaと開閉自在な蓋体ｂとを有するサンドブラスターＡを構成する前記キャビネットａの囲み側壁板部１に形成する通気口の外側面３に嵌脱機構を形成し、前記嵌脱機構に前記通気口と合致する孔部を有する袋式フィルターｄを嵌脱自在に装着して構成する。【選択図】図１
0003150080.tif 000002
【実用新案登録請求の範囲】
【請求項１】
有底状キャビネットと開閉自在な蓋体とを有するサンドブラスターを構成する前記キャビネットの囲み側壁板部に形成する通気口の外側面に嵌脱機構を形成し、前記嵌脱機構に前記通気口と合致する孔部を有する袋式フィルターを嵌脱自在に装着せしめることを特徴とするサンドブラスターのフィルター。
【請求項２】
前記嵌脱機構は、前記囲み側壁板部の外側面にねじによって取着のフィルター取付部にフィルター留め部を接続せしめることを特徴とする請求項１に記載のサンドブラスターのフィルター。
【請求項３】
前記袋式フィルターは、前記通気口と合致する孔部を有する板状挿込み部に、前記孔部と連通する連通孔を有する紙製袋部を接着せしめ形成することを特徴とする請求項１又は同２に記載のサンドブラスターのフィルター。
【請求項４】
前記袋式フィルターは、板状挿込み部の孔部の周囲部に緩衝部材を取着せしめることを特徴とする請求項１又は同２又は同３に記載のサンドブラスターのフィルター。
【請求項５】
前記袋式フィルターの緩衝部材は、薄いスポンジ材とすることを特徴とする請求項１又は同２又は同３又は同４に記載のサンドブラスターのフィルター。
【考案の詳細な説明】
【技術分野】
【０００１】
本考案は、コンプレッサの圧縮空気を用い、キャビネット内で研磨材をブラストガンより吐出し、ブラスト作業を行うサンドブラスターのフィルターの分野に関するものである。
【背景技術】
【０００２】
従来、サンドブラスターとして、実公昭６３−２５０９４号実用新案公報が開示されているが、噴射ノズル２内に吹出し、被加工物の表面と衝突した後の吹付け粒子を収納する収納袋９は、噴出ノズル２の外周に装着して使用するものであった。
【０００３】
そして、前記従来のサンドブラスターは、考案の目的欄において開示されているように、被加工物をケース内に収納することなく、その表面にサンドブラスターを用いてマーク、文字等を入れるようにすることにより、大型の物品、及び既に所定の位置に据付けの終了した物品の表面にも容易にマーク、文字等を入れるようにするもので、ケース内に被加工物を収納してのブラスト作業をする構成ではなかった。
【０００４】
さらに、前記従来のサンドブラスターは、ブラスト作業時において、前記収納袋９が噴射ノズル２に常時装着されているので、作業が煩雑となるおそれがあった。
【０００５】
また、従来開示のサンドブラスターは収納袋９が、第２頁４欄２２行〜２４行目にかけてエアだけをスムーズに放出するために、網状のものを使用すると説示されており、そのため従来開示のサンドブラスターの収納袋９は網状のため吹き込む粒子のみを貯めるだけであり、微粒子は外部に放出され公害問題に発展しかねなかった。
【先行技術文献】
【特許文献】
【０００６】
【特許文献１】実公昭６３−２５０９４号実用新案公報
【考案の概要】
【考案が解決しようとする課題】
【０００７】
前記したとおり、従来開示の実公昭６３−２５０９４号実用新案公報のサンドブラスターの収納袋が、噴射ノズル２に常時装着されており、そのため作業が煩雑であり、且作業性を悪化させるおそれがあった。
【０００８】
さらに、従来開示の実公昭６３−２５０９４号実用新案公報のサンドブラスターの収納袋が、網状なので、粒子を貯溜させても、微粒子は網目より高圧にて噴出し、作業者周辺や作業現場周辺に微粒子をまき散らし、作業者の健康や公害問題に発展しかねないおそれがあった。
【０００９】
しかるに、本考案のサンドブラスターの紙製にして且袋式のフィルターは、囲み側壁板部の外側面にスライド等の方式で装着しキャビネット内のブラスト作業によって発生する高圧な粉塵を確実に吸収貯溜し、且粉塵に含有する微粒子を袋外に排出せしめないようにすると共に、微粒子を含まないエアーのみを外部に放出せしめた。
【００１０】
そして、本考案のサンドブラスターの袋式フィルターは、袋状のため高圧な排気がキャビネットの通気口より排出しても、前記フィルター自体が拡大したり、あるいは縮小したりして通気口より高圧排気された粉じんがフィルター内に確実に貯溜し、且前記フィルターを高圧排気によって破損しないようにした。
【００１１】
さらに本考案のサンドブラスターの袋式フィルターは、従来開示のサンドブラスターのように噴射ノズルに常時装着されていないので、作業者にとってブラスト作業が極めて良好となり、且作業能率をアップせしめることができる。
【００１２】
また本考案のサンドブラスターの袋式フィルターは、キャビネットを構成する囲み側壁板部の外側面に嵌脱機構を介してスライド式等によって取付けもしくは取外し作業が極めて容易に出来るようにした。
【００１３】
さらに、本考案のサンドブラスターの袋式フィルターは、板状挿込み部に形成する孔部の外側周囲部に緩衝部材を取着せしめて、通気口から排出される高圧排気がキャビネット外に漏れないようにした。
【課題を解決するための手段】
【００１４】
課題を解決するための手段としての請求項１記載の考案は、有底状キャビネットaと開閉自在な蓋体ｂとを有するサンドブラスターＡを構成する前記キャビネットａの囲み側壁板部１に形成する通気口２の外側面３に嵌脱機構ｃを形成し、前記嵌脱機構ｃに前記通気口２と合致する孔部４ａを有する袋式フィルターｄを嵌脱自在に装着せしめるサンドブラスターのフィルターである。
【００１５】
課題を解決するための手段としての請求項２記載の考案は、前記嵌脱機構ｃは、前記囲み側壁板部１の外側面３にねじ６によって取着のフィルター取付部４、４にフィルター留め部５を接続せしめるサンドブラスターのフィルターである。
【００１６】
課題を解決するための手段としての請求項３記載の考案は、前記袋式フィルターｄは、前記通気口２と合致する孔部４を有する板状挿込み部７に、前記孔部４と連通する連通孔４ａを有する紙製袋部８を接着せしめ形成するサンドブラスターのフィルターである。
【００１７】
課題を解決するための手段としての請求項４記載の考案は、前記袋式フィルターｄは、板状挿込み部７の孔部４の周囲部に緩衝部材９を取着せしめるサンドブラスターのフィルターである。
【００１８】
課題を解決するための手段としての請求項５記載の考案は、前記袋式フィルターｄの緩衝部材９は、薄いスポンジ材とするサンドブラスターのフィルターである。
【考案の効果】
【００１９】
請求項１記載の考案は、有底状キャビネットと開閉自在な蓋体とを有するサンドブラスターを構成する前記キャビネットの囲み側壁板部に形成する通気口の外側面に嵌脱機構を形成し、前記嵌脱機構に前記通気口と合致する孔部を有する袋式フィルターを嵌脱自在に装着せしめるサンドブラスターのフィルターなので、空気圧を逃げ易くした。
【００２０】
さらに本考案は、キャビネット内のブラスト作業に発生する内圧を下げることができると共に、キャビネット内に発生する流体が優先して逃げやすい場所を作り、キャビネット内の他の部分の砂漏れを軽減せしめた。
【００２１】
また本考案は、前記袋式フィルターの交換をスライド式にして嵌脱せしめることができるので、交換作業が極めて簡単にして且便利にした。
【００２２】
さらに本考案は、前記袋式フィルターの孔部の外周囲に緩衝部材を貼着せしめて、砂、粉塵等の漏れを未然に防止せしめた。
【００２３】
請求項２記載の考案は、前記嵌脱機構は、前記囲み側壁板部の外側面にねじによって取着のフィルター取付部にフィルター留め部を接続せしめるサンドブラスターのフィルターなので、前記請求項１記載の考案と同じ効果を有している。
【００２４】
請求項３記載の考案は、前記袋式フィルターは、前記通気口と合致する孔部を有する板状挿込み部に、前記孔部と連通する連通孔を有する紙製袋部を接着せしめ形成するサンドブラスターのフィルターなので、前記請求項１又は同２記載の考案と同じ効果を有している。
【００２５】
請求項４記載の考案は、前記袋式フィルターは、板状挿込み部の孔部の周囲部に緩衝部材を取着せしめるサンドブラスターのフィルターなので、前記請求項１又は同２又は同３記載の考案と同じ効果を有している。
【００２６】
請求項５記載の考案は、前記袋式フィルターの緩衝部材は、薄いスポンジ材とするサンドブラスターのフィルターなので、前記請求項１又は同２又は同３又は同４記載の考案と同じ効果を有している。
【図面の簡単な説明】
【００２７】
【図１】本考案のサンドブラスターの斜視図である。
【００２８】
【図２】同サンドブラスターの斜視図である。
【００２９】
【図３】同サンドブラスターの蓋体を除去した平面図である。
【００３０】
【図４】同サンドブラスターの使用状態を示す概略図である。
【００３１】
【図５】同袋式フィルターをキャビネットに取着せしめた状態の一部切欠斜視図である。
【００３２】
【図６】同袋式フィルターの取着状態を示す図である。
【００３３】
【図７】同袋式フィルターの挿入状態を示する一部切欠正面図である。
【００３４】
【図８】同サンドブラスターの嵌脱機構の一部切欠拡大斜視図である。
【００３５】
【図９】同サンドブラスターの嵌脱機構の一部切欠拡大側面図である。
【００３６】
【図１０】同サンドブラスターの嵌脱機構の斜視図である。
【００３７】
【図１１】同袋式フィルターの正面図である。
【００３８】
【図１２】同サンドブラスターの嵌脱機構を構成するフィルター留め部である。
【考案を実施するための形態】
【００３９】
本考案の請求項１〜５に記載の考案に関する実施形態は、共通しているので以下のとおり一括して説明する。
【００４０】
図において、Ａはサンドブラスターである。
【００４１】
ａはサンドブラスターＡを構成する有底状キャビネットである。
【００４２】
ｂは前記キャビネットａの上方開口部１ａに開閉自在に装着せしめた蓋体である。
【００４３】
ｃは前記キャビネットａの囲み側壁板部１に形成する通気口２の外側面３に取着する嵌脱機構であり、その具体的構成部材については後述する。
【００４４】
ｄは前記嵌脱機構ｃを構成する前記通気口２を形成する囲み側壁板部１の外側面３にねじ６によって取着のフィルター取付部４、４にフィルター留め部５を接続せしめると共に、前記フィルター留め部５に挿し込まれる前記通気口２と合致の孔部４ａを有する袋式フィルターである。
【００４５】
さらに前記した各構成部材の中、本考案の要部の袋式フィルターｄと、該フィルターｄを嵌脱自在な嵌脱機構ｃについて説明する。
【００４６】
先ず最初に前記嵌脱機構ｃについて詳述すると以下のとおりである。
【００４７】
該嵌脱機構ｃは、４面ある囲み側壁板部１の中、２面の側壁板部に形成する前記通気口２を形成した囲み側壁板部１の外側面３に、留めねじ６によって取着する前記袋式フィルターｄを構成する板状挿込み部７の左右両サイドを挿込み支持する支持部１０付きフィルター取付部４、４を前記フィルター取付部４、４の支持部１０、１０を対向状態にして、所定の間隔を開け前記ねじ６をもって固着する。
【００４８】
前記フィルター取付部４、４の支持部１０、１０の間隔は、挿込まれた前記袋式フィルターｄの板状挿込み部７の幅員より若干狭い状態である。上記支持部１０、１０によって挿込まれた袋式フィルターｄは離脱しない。以上の形態によって、前記袋式フィルターｄの板状挿込み部７は離脱しない。
【００４９】
さらに、前記袋式フィルターｄの板状挿込み部７の上辺部と下辺部とを固定する手段について説明する。
【００５０】
該板状挿込み部７を固定する手段としては、前記フィルター取付部４、４にフィルター留め部５を接続することである。
【００５１】
前記の接続手段は、図面に図示のとおり、前記フィルター取付部４の中、左側方の取付部４の上方と下方に設けた外側方に若干ふくらみ部を持たせたねじ孔１１付き上方部１２と下方部１３と前記囲み側壁面部１の外側面３との間に、２本の前記フィルター留め部５の左端部を夫々嵌挿し、ねじ６を介して前記フィルター留め部５とフィルター取付部４、４とを図面図示のように接続せしめる。
【００５２】
前記のようにフィルター取付部４、４は左端部を基点に展開したり、下方へ垂れ下る。
【００５３】
前記のようにして嵌脱機構ｃは組立てられる。
【００５４】
さらに前記袋式フィルターｄの実施の形態を説明すると以下のとおりである。
【００５５】
前記袋式フィルターｄの実施の形態については前記のとおり若干説明したが、さらにその具体的な実施の形態を説明する。
【００５６】
この袋式フィルターｄは、前記通気口２と合致する孔部４を有する板状挿込み部７と、前記孔部４と連通する連通孔４ａを有する紙製袋部８とを別設する。そして前記板状挿込み部７の孔部４と、袋部８の連通孔４ａとを合致せしめ、前記袋部８と前記板状挿込み部７の裏面部とを一体に接着するのではなく、前記板状挿込み部７の裏面部の四周辺部を若干接着しない形態とする。
【００５７】
また前記袋式フィルターｄの板状挿込み部７の表面部の孔部４ａの周囲部に薄いスポンジ材の緩衝部材９を取着する。
【００５８】
前記緩衝部材９は、前記囲み側壁板部１の外側面３に密着し、砂、粉塵等の漏れを防止せしめる。
【００５９】
さらに前記の構成からなる袋式フィルターｄは、前記嵌脱機構ｃに挿入したり、交換のため取出したりするには以下のようにして実施する。
【００６０】
前記したとおり嵌脱機構ｃのフィルター取付部４、４の支持部１０、１０間に、前記袋式フィルターｄの板状挿込み部７の両サイドを挿込み支持する。
【００６１】
そして、上下方に接続する２本の前記フィルター留め部５を夫々前記板状挿込み部７の上方部と下方部の裏面部に当てた後、前記フィルター留め部５の右端部を左側方のフィルター取付部４に引掛け係止する。
【００６２】
上記のように袋式フィルターｄを取付ると、緩衝部材９が囲み側壁板部１の外側面３に常時密着している。そのため隙間がなくなり砂、粉塵の漏れを防止した。
【００６３】
さらに本考案のサンドブラスターの主な構成部材を説明すると以下のとおりである。
【００６４】
図において、１４は前記キャビネットａの正面の囲み側壁板部１に設けたハンドグローブ１４ａの挿入口であり、２個所形成する。
【００６５】
１５は前記蓋体ｂに貼付けた保護シート、１６はキャビネットａに取着のライト、１７はライト用スイッチ１７ａを取着のボックスである。
【００６６】
１８は固定フック、１９はキャビネット９内に挿入する作業ネット、２０はブラストガン、２１はレバースイッチ、２２は空気接続口２３に接続するエアホース、２４は研磨材吸込み用ホース、２５はブラスト物体である。
【産業上の利用可能性】
【００６７】
有底状キャビネットと開閉自在な蓋体とを有するサンドブラスターを構成する前記キャビネットの囲み側壁板部に形成する通気口の外側面に嵌脱機構を形成し、前記嵌脱機構に前記通気口と合致する孔部を有する袋式フィルターを嵌脱自在に装着せしめて空気圧が逃げ易く、砂漏れの軽減と交換作業の簡略化を可能にした。
【符号の説明】
【００６８】
Ａ    サンドブラスター
ａ    キャビネット
ｂ    蓋体
ｃ    嵌脱機構
ｄ    袋式フィルター
１    囲み側壁板部
２    通気口
３    外側面
４    フィルター取付部
４ａ  孔部
５    フィルター留め部
６    ねじ
７    板状挿込み部
８    袋部
９    緩衝部材
１０  支持部
１２  上方部
１３  下方部
１４  挿入口
１４ａ  ハンドグローブ
１５  保護シート
１６  ライト
１７  ボックス
１７ａ  ライト用スイッチ
１８  固定フック
１９  作業ネット
２０  ブラストガン
２１  レバースイッチ
２２  エアホース
２３  空気接続口
２４  研磨材吸込み用ホース
【図１】
0003150080.tif 000003
【図２】
0003150080.tif 000004
【図３】
0003150080.tif 000005
【図４】
0003150080.tif 000006
【図５】
0003150080.tif 000007
【図６】
0003150080.tif 000008
【図７】
0003150080.tif 000009
【図８】
0003150080.tif 000010
【図９】
0003150080.tif 000011
【図１０】
0003150080.tif 000012
【図１１】
0003150080.tif 000013
【図１２】
0003150080.tif 000014